(57)【要約】  本発明のアプリケーション管理システムは、端末と、前記端末にアプリケーションを配信するアプリケーション管理サーバと、を有する。ここで、前記アプリケーション管理サーバは、前記端末にて選択可能な第１階層のデータの候補を書き込むよう前記アプリケーションに指示し、前記第１階層のデータの候補が書き込まれたアプリケーションを前記端末に配信する。また、前記端末は、前記アプリケーションの第１階層のデータを候補の中から選択させ、選択された第１階層のデータを用いて構築したアプリケーションの画面を表示する。
2013021758.tif 000002
【特許請求の範囲】
【請求項１】
端末と、前記端末にアプリケーションを配信するアプリケーション管理サーバと、を有してなるアプリケーション管理システムであって、
前記アプリケーション管理サーバは、
前記端末にて選択可能な第１階層のデータの候補を書き込むよう前記アプリケーションに指示し、
前記第１階層のデータの候補が書き込まれたアプリケーションを前記端末に配信し、
前記端末は、
前記アプリケーションの第１階層のデータを候補の中から選択させ、
選択された第１階層のデータを用いて構築したアプリケーションの画面を表示する、アプリケーション管理システム。
【請求項２】
前記第１階層のデータの候補は、前記端末の仕様または前記端末からの要求に応じて決定される、請求項１に記載のアプリケーション管理システム。
【請求項３】
前記アプリケーション管理サーバは、
前記端末に対し、前記第１階層とは異なる第２階層の書込データを日時データに対応付けて前記アプリケーションに書き込むよう指示し、
前記端末は、
前記第２階層の書込データを日時データと対応付けて書き込むよう前記アプリケーションに指示し、
前記アプリケーションの画面において、前記第２階層の書込データを日時データと対応付けて表示する、請求項１または２に記載のアプリケーション管理システム。
【請求項４】
前記書込データは、前記アプリケーションの第１階層のデータに関連するデータである、請求項３に記載のアプリケーション管理システム。
【請求項５】
前記アプリケーション管理サーバは、
前記端末のユーザをグループ分けし、
前記端末にて前記第２階層のユーザデータの前記アプリケーションへの書き込みが行われた場合、該端末のユーザと同一グループに属する他のユーザの端末に対し、前記第２階層の同一のユーザデータを前記アプリケーションに書き込むよう指示し、
前記他のユーザの端末は、
前記第２階層の同一のユーザデータを書き込むよう前記アプリケーションに指示し、
前記アプリケーションの画面において、同一のユーザデータを表示する、請求項３または４に記載のアプリケーション管理システム。
【請求項６】
前記アプリケーション管理サーバは、前記アプリケーションの第１階層のデータに応じて、前記端末のユーザをグループ分けする、請求項５に記載のアプリケーション管理システム。
【請求項７】
端末にアプリケーションを配信するアプリケーション管理サーバであって、
前記端末にて選択可能な第１階層のデータの候補を書き込むよう前記アプリケーションに指示する制御部と、
前記第１階層のデータの候補が書き込まれたアプリケーションを前記端末に配信する通信部と、を有するアプリケーション管理サーバ。
【請求項８】
前記第１階層のデータの候補は、前記端末の仕様または前記端末からの要求に応じて決定される、請求項７に記載のアプリケーション管理サーバ。
【請求項９】
前記制御部は、前記通信部を介して前記端末に対し、前記第１階層とは異なる第２階層の書込データを日時データと対応付けて前記アプリケーションに書き込むよう指示する、請求項７または８に記載のアプリケーション管理サーバ。
【請求項１０】
前記書込データは、前記アプリケーションの第１階層のデータに関連するデータである、請求項９に記載のアプリケーション管理サーバ。
【請求項１１】
前記制御部は、
前記端末のユーザをグループ分けし、
前記端末にて前記第２階層のユーザデータの前記アプリケーションへの書き込みが行われた場合、該端末のユーザと同一グループに属する他のユーザの端末に対し、前記通信部を介して、前記第２階層の同一のユーザデータを前記アプリケーションに書き込むよう指示する、請求項９または１０に記載のアプリケーション管理サーバ。
【請求項１２】
前記制御部は、前記アプリケーションの第１階層のデータに応じて、前記端末のユーザをグループ分けする、請求項１１に記載のアプリケーション管理サーバ。
【請求項１３】
アプリケーション管理サーバからアプリケーションの配信を受ける端末であって、
前記アプリケーション管理サーバから、前記端末にて選択可能な第１階層のデータの候補が書き込まれたアプリケーションを受信する通信部と、
前記アプリケーションの第１階層のデータを候補の中から選択させる制御部と、
選択された第１階層のデータを用いて構築したアプリケーションの画面を表示する表示部と、を有する端末。
【請求項１４】
前記制御部は、
前記アプリケーション管理サーバから、前記第１階層とは異なる第２階層の書込データを日時データと対応付けて前記アプリケーションに書き込むよう指示を受けた場合、該指示を受けた書込データを日時データと対応付けて書き込むよう前記アプリケーションに指示し、
前記表示部は、
前記アプリケーションの画面において、前記第２階層の書込データを日時データと対応付けて表示する、請求項１３に記載の端末。
【請求項１５】
前記書込データは、前記アプリケーションの第１階層のデータに関連するデータである、請求項１４に記載の端末。
【請求項１６】
前記制御部は、
前記第２階層のユーザデータの前記アプリケーションへの書き込みが行われた場合、該ユーザデータを、前記通信部を介して前記アプリケーション管理サーバに送信し、
前記アプリケーション管理サーバから、前記第２階層のユーザデータを前記アプリケーションに書き込むよう指示を受けた場合、該指示を受けたユーザデータを書き込むよう前記アプリケーションに指示し、
前記表示部は、
前記アプリケーションの画面において、前記ユーザデータを表示する、請求項１４または１５に記載の端末。
【請求項１７】
端末にアプリケーションを配信するアプリケーション管理サーバによるアプリケーション管理方法であって、
前記端末にて選択可能な第１階層のデータの候補を書き込むよう前記アプリケーションに指示し、
前記第１階層のデータの候補が書き込まれたアプリケーションを前記端末に配信する、アプリケーション管理方法。
【発明の詳細な説明】
【技術分野】
【０００１】
本発明は、アプリケーション管理システム、アプリケーション管理サーバ、端末、アプリケーション管理方法に関する。
【背景技術】
【０００２】
最近の携帯端末として、アプリケーションをサーバからダウンロードして利用する形態のものが増えている。【０００３】
また、アプリケーションの種類も多様になっており、例えば、特許文献１には、スケジュール系のサービスに用いるアプリケーションを提供するサーバが開示されている。
【先行技術文献】
【特許文献】
【０００４】
【特許文献１】特開２００９−０８８７０３号公報
【発明の概要】
【発明が解決しようとする課題】
【０００５】
しかしながら、携帯端末がサーバからダウンロードするアプリケーションは、一般に、フォーマット等が予め決められており、オリジナリティに富んだアプリケーションを構築することができないという課題がある。【０００６】
そこで、本発明の目的は、上記課題を解決することができるアプリケーション管理システム、アプリケーション管理サーバ、端末、アプリケーション管理方法を提供することにある。
【課題を解決するための手段】
【０００７】
本発明のアプリケーション管理システムは、
端末と、前記端末にアプリケーションを配信するアプリケーション管理サーバと、を有してなるアプリケーション管理システムであって、
前記アプリケーション管理サーバは、
前記端末にて選択可能な第１階層のデータの候補を書き込むよう前記アプリケーションに指示し、
前記第１階層のデータの候補が書き込まれたアプリケーションを前記端末に配信し、
前記端末は、
前記アプリケーションの第１階層のデータを候補の中から選択させ、
選択された第１階層のデータを用いて構築したアプリケーションの画面を表示する。【０００８】
本発明のアプリケーション管理サーバは、
端末にアプリケーションを配信するアプリケーション管理サーバであって、
前記端末にて選択可能な第１階層のデータの候補を書き込むよう前記アプリケーションに指示する制御部と、
前記第１階層のデータの候補が書き込まれたアプリケーションを前記端末に配信する通信部と、を有する。【０００９】
本発明の端末は、
アプリケーション管理サーバからアプリケーションの配信を受ける端末であって、
前記アプリケーション管理サーバから、前記端末にて選択可能な第１階層のデータの候補が書き込まれたアプリケーションを受信する通信部と、
前記アプリケーションの第１階層のデータを候補の中から選択させる制御部と、
選択された第１階層のデータを用いて構築したアプリケーションの画面を表示する表示部と、を有する。【００１０】
本発明のアプリケーション管理方法は、
端末にアプリケーションを配信するアプリケーション管理サーバによるアプリケーション管理方法であって、
前記端末にて選択可能な第１階層のデータの候補を書き込むよう前記アプリケーションに指示し、
前記第１階層のデータの候補が書き込まれたアプリケーションを前記端末に配信する。
【発明の効果】
【００１１】
本発明によれば、アプリケーション管理サーバは、端末にて選択可能な第１階層のデータの候補が書き込まれたアプリケーションを端末に配信する。【００１２】
そのため、端末は、第１階層のデータを候補の中から選択してアプリケーションを構築することができるため、オリジナリティに富んだアプリケーションを構築することができるという効果が得られる。
【図面の簡単な説明】
【００１３】
【図１】本発明の一実施形態のアプリケーション管理システムの構成を示すブロック図である。
【図２】図１に示したアプリケーション管理サーバが管理するアプリケーションの構造を示す図である。
【図３】図１に示した携帯端末が表示するアプリケーションの画面の例を示す図である。
【図４】図１に示した携帯端末が表示するアプリケーションの画面の例を示す図である。
【図５】図１に示した携帯端末が表示するアプリケーションの画面の例を示す図である。
【図６】図１に示した携帯端末が表示するアプリケーションの画面の例を示す図である。
【図７】図１に示したアプリケーション管理システムにおいて、アプリケーション管理サーバがアプリケーションを配信する時の動作を説明するシーケンス図である。
【図８】図１に示したアプリケーション管理システムにおいて、アプリケーション管理サーバが広告データを書き込む時の動作を説明するシーケンス図である。
【図９】図１に示した携帯端末が表示するアプリケーションの画面の例を示す図である。
【図１０】図１に示したアプリケーション管理システムにおいて、携帯端末がユーザデータを書き込む時の動作を説明するシーケンス図である。
【図１１】図１に示した携帯端末が表示するアプリケーションの画面の例を示す図である。
【発明を実施するための形態】
【００１４】
以下に、本発明を実施するための形態について図面を参照して説明する。
（１）本実施形態の構成
まず、本実施形態のアプリケーション管理システムの構成について、図１を参照して説明する。
【００１５】
図１に示すように、本実施形態のアプリケーション管理システムは、アプリケーション管理サーバ１０と、インターネット等であるネットワークを介してアプリケーション管理サーバ１０に接続された複数の携帯端末２０と、を有している。
【００１６】
アプリケーション管理サーバ１０は、アプリケーションを管理し携帯端末２０に配信するサーバであり、通信部１１と、記憶部１２と、制御部１３と、を有している。
【００１７】
通信部１１は、ネットワークを介して携帯端末２０と通信する部分であり、例えば、携帯端末２０にアプリケーションを配信する。
【００１８】
記憶部１２は、各種の情報を記憶する部分であり、例えば、携帯端末２０に配信するアプリケーションを記憶する。
【００１９】
制御部１３は、アプリケーション管理サーバ１０内の構成要素を制御して各種の処理を行う部分である。
【００２０】
携帯端末２０は、アプリケーション管理サーバ１０から配信されたアプリケーションを利用する携帯型の端末であり、通信部２１と、記憶部２２と、入力部２３と、表示部２４と、制御部２５と、を有している。
【００２１】
通信部２１は、ネットワークを介してアプリケーション管理サーバ１０と通信する部分であり、例えば、アプリケーション管理サーバ１０から配信されたアプリケーションを受信する。
【００２２】
記憶部２２は、各種の情報を記憶する部分であり、例えば、アプリケーション管理サーバ１０から配信されたアプリケーションを記憶する。
【００２３】
入力部２３は、ユーザにより各種の指示が入力される部分であり、例えば、入力キーやタッチパネル等である。
【００２４】
表示部２４は、各種の情報を表示する部分であり、例えば、アプリケーションの画面を表示する。
【００２５】
制御部２５は、自己の携帯端末２０内の構成要素を制御して各種の処理を行う部分である。
【００２６】
なお、アプリケーション管理サーバ１０および携帯端末２０の上記構成要素の詳細な動作ついては、下記（３）にて詳しく説明する。
（２）本実施形態のアプリケーションの構造
次に、本実施形態のアプリケーションの構造について、図２を参照して説明する。
【００２７】
図２に示すように、本実施形態のアプリケーションは、階層３１〜３４を含む階層構造になっている。
【００２８】
なお、図２に示す階層構造は、アプリケーションの画面を表示する際の構造のイメージであり、実際には、階層３１〜３４の各データは階層３１に書き込まれることになる。
【００２９】
階層３１は、アプリケーションの基盤となる基盤データを含むベースシステム層であり、ＡＰＩ（Application  Programming  Interface）が用意されている。このＡＰＩにより、階層３１は、上位の階層３２〜３４との連携が可能になるだけでなく、外部アプリケーション（不図示）との連携も可能になる。
【００３０】
階層３２は、階層３１の基盤データを表示する際のフォーマットの候補となるデータを含む層である。携帯端末２０側では、階層３２の候補の中から任意のフォーマットを選択可能である。
【００３１】
ここで、階層３２のフォーマットの例としては、例えば、日時に関係するスケジュール系のアプリケーションの場合、図３に示す月表示用、図４に示す週表示用、または、図５に示す日表示用のフォーマット等が考えられる。また、日時に関係しないアプリケーションの場合、白紙メモ用、日記用、住所録用のフォーマット等が考えられる。
【００３２】
なお、フォーマットの仕様を公開することにより、様々なメーカーが独自のフォーマットを生成することが可能となる。
【００３３】
階層３３は、階層３１の基盤データを階層３２のフォーマットで表示する際のデザインの候補となるデータを含む層である。携帯端末２０側では、階層３３の候補の中から任意のデザインを選択可能である。
【００３４】
ここで、階層３３のデザインの例としては、様々な色や模様や絵（例えば、お気に入りのキャラクターや、お気に入りの店舗に関連するもの等）を背景に用いたデザインが考えられ、例えば、スケジュール系のアプリケーションの場合、図６に示すように、ある猫のキャラクターを背景に用いたデザインが考えられる。
【００３５】
なお、デザインは、プログラムを書かなくても生成することができるようにＸＭＬ（Extensible  Markup  Language）系の言語で構成するのが好ましい。また、デザインは、１種類の静止画ではなく、イベントに応じて静止画を変化させても良いし、アニメーション等の動画にしても良い。
【００３６】
階層３４は、テキスト、画像、シール、スタンプ、リンク情報等のデータを含む層である。
【００３７】
ここで、階層３４のデータの例としては、例えば、スケジュール系のアプリケーションの場合、図３〜図６に示すスケジュールに関するテキストや画像などが考えられる。また、携帯端末２０側からの階層３４のデータの入力は、キー入力や手書き入力のいずれで行うこととしても良い。
【００３８】
なお、階層３２，３３は、本発明の第１階層の一例であり、階層３４は、本発明の第２階層の一例である。また、階層３１〜３４のデータは、記憶部１２に記憶されている。また、階層３２，３３のデータは、変更（差し替え）可能であり、リフィルデータと称される場合もある。
（３）本実施形態の動作
以下、本実施形態のアプリケーション管理システムの動作について説明する。
（３−１）アプリケーションの配信時の動作
まず、アプリケーションを配信する時の動作について説明する。
【００３９】
図７に示すように、アプリケーション管理サーバ１０の制御部１３は、携帯端末２０からアプリケーションの配信要求を受信すると（ステップＡ１）、記憶部１２からアプリケーション（階層３１のベースシステム層）を読み出し、読み出したアプリケーションに対し、携帯端末２０の仕様または携帯端末２０からの要求を通知し、フォーマットとデザインの候補の書き込みを指示する。これを受けて、アプリケーションは、携帯端末２０の仕様または携帯端末２０からの要求に応じて、記憶部１２から階層３２のフォーマットの候補および階層３３のデザインの候補を選択する（ステップＡ２）。
【００４０】
このとき、例えば、携帯端末２０の仕様が、アプリケーションの配信が有償である場合と無償である場合とで異なる候補を選択することができる。また、携帯端末２０がデザインの属性（背景に用いるキャラクターや店舗等）を要求した場合は、その属性に合致するデザインを候補として選択することができる。
【００４１】
次に、アプリケーションは、上記で選択したフォーマットおよびデザインの候補を階層３２および階層３３のデータとして階層３１に書き込み、アプリケーション管理サーバ１０の制御部１３は、そのアプリケーションを、通信部１１を介して携帯端末２０に配信する（ステップＡ３）。
【００４２】
携帯端末２０の制御部２５は、アプリケーション管理サーバ１０からのアプリケーションを通信部２１にて受信すると、フォーマットおよびデザインを候補の中から選択させる（ステップＡ４）。このときの選択方法は任意の方法が使用可能であり、例えば、フォーマットおよびデザインの候補を表示部２４に順次表示して、入力部２３を介して所望のフォーマットおよびデザインを選択させること等が考えられる。
【００４３】
その後、携帯端末２０の制御部２５は、階層３１〜３４の各データを用いて構築したアプリケーションを記憶部２２に記憶させる共に、そのアプリケーションの画面を表示部２４に表示する（ステップＡ５）。
【００４４】
例えば、スケジュール系のアプリケーションの場合、以降、アプリケーションは、スケジュールに関するテキストや画像などの階層３４のデータが、入力部２３からキー入力や手書き入力されると、そのデータを階層３１に書き込む。この場合の画面の例は、例えば、図３〜図６のようになる。
（３−２）広告データの書き込みの動作
次に、アプリケーションに広告データを書き込む時の動作について説明する。ここでは、広告データを例に挙げるが、他の書込データ（情報、画像等）を書き込む場合も同様の動作になる。
【００４５】
なお、アプリケーション管理サーバ１０は、上記動作の実現のために、以下を行っているものとする。
（Ａ）制御部１３は、階層３３のデザインの属性（背景に用いるキャラクターや店舗等）毎に、日時データと対応付けた広告データを記憶部１２に随時記憶させる。この広告データの例としては、例えば、あるキャラクターに関する商品が何月何日に発売するという広告や、ある店舗で何月何日の何時からバーゲンを開始するという広告等が挙げられる。
（Ｂ）制御部１３は、各携帯端末２０に配信したアプリケーションの階層３３のデザインの候補の属性を記憶部１２に記憶させる。
【００４６】
図８に示すように、アプリケーション管理サーバ１０の制御部１３は、ある属性の広告データであって日時データに対応付けられた広告データを記憶部１２に記憶させた場合（ステップＢ１）、記憶部１２を検索して、その属性のデザインの候補を配信した携帯端末２０を、広告データの書き込み先として特定する（ステップＢ２）。
【００４７】
次に、アプリケーション管理サーバ１０の制御部１３は、通信部１１を介して上記で特定した携帯端末２０に対し、日時データと対応付けた広告データを送信し、その広告データのアプリケーションへの書き込みを指示する（ステップＢ３）。
【００４８】
次に、携帯端末２０の制御部２５は、記憶部２２からアプリケーションを読み出し、読み出したアプリケーションに対し、日時データと対応付けた広告データを通知し、その広告データの書き込みを指示する。これを受けて、アプリケーションは、日時データと対応付けた広告データを階層３４のデータとして階層３１に書き込む（ステップＢ４）。
【００４９】
その後、携帯端末２０の制御部２５は、表示部２４上のアプリケーションの画面において、アプリケーションが階層３４のデータとして階層３１に書き込んだ広告データを、日時データと対応付けて表示する（ステップＢ５）。
【００５０】
例えば、ある猫のキャラクターを背景に用いたスケジュール系のアプリケーションにおいて、その猫のキャラクターに関する商品Ａを７月３０日に発売するという広告を表示した画面の例を図９に示す。
（３−３）ユーザデータの書き込み時の動作
次に、アプリケーションにユーザデータを書き込む時の動作について説明する。
【００５１】
なお、アプリケーション管理サーバ１０は、上記動作の実現のために、以下を行っているものとする。
（ａ）制御部１３は、各携帯端末２０に配信したアプリケーションの階層３３のデザインの候補の属性を記憶部１２に記憶させる。
（ｂ）制御部１３は、携帯端末２０に配信したアプリケーションの階層３３のデザインの候補に応じて、携帯端末２０のユーザをグループ分けし、各グループに属するユーザの携帯端末２０の情報を記憶部１２に記憶させる。
【００５２】
そのため、例えば、互いに承認したユーザ同士でアプリケーションのデザインを共有した場合、そのユーザ同士は同一グループとなる。
【００５３】
図１０に示すように、携帯端末２０（ここでは、携帯端末２０−１とする）において、アプリケーションは、テキストや画像などの階層３４のユーザデータが、入力部２３からキー入力や手書き入力されると、そのユーザデータを階層３１に書き込む（ステップＣ１）。このユーザデータの例としては、例えば、スケジュールに関するデータや、同一グループの他のユーザに発信するメッセージ等が挙げられる。
【００５４】
次に、携帯端末２０−１の制御部２５は、階層３１に書き込まれたユーザデータを、表示部２４に表示すると共に、通信部２１を介してアプリケーション管理サーバ１０に送信する（ステップＣ２）。この際、携帯端末２０−１の識別子も合わせて送信される。
【００５５】
次に、アプリケーション管理サーバ１０の制御部１３は、携帯端末２０−１からのユーザデータを通信部１１にて受信すると、記憶部１２を検索して、携帯端末２０−１のユーザと同一のグループに属する他のユーザの携帯端末２０（ここでは、携帯端末２０−２とする）を特定する（ステップＣ３）。
【００５６】
次に、アプリケーション管理サーバ１０の制御部１３は、通信部１１を介して上記で特定した携帯端末２０−２に対し、携帯端末２０−１にて書き込まれた同一のユーザデータを送信し、そのユーザデータのアプリケーションへの書き込みを指示する（ステップＣ４）。
【００５７】
次に、携帯端末２０−２の制御部２５は、記憶部２２からアプリケーションを読み出し、読み出したアプリケーションに対し、ユーザデータを通知し、そのユーザデータの書き込みを指示する。これを受けて、アプリケーションは、ユーザデータを階層３４のデータとして階層３１に書き込む（ステップＣ５）。
【００５８】
その後、携帯端末２０−２の制御部２５は、表示部２４上のアプリケーションの画面において、アプリケーションが階層３４のデータとして階層３１に書き込んだユーザデータを表示する（ステップＣ６）。
【００５９】
例えば、スケジュール系のアプリケーションにおいて、あるユーザが同一グループ内の他のユーザ（○○とする）に発信した、誕生日を祝うメッセージを表示した画面の例を図１１に示す。
【００６０】
なお、上記各ステップにおいて、アプリケーション管理サーバ１０上でアプリケーションが主体として処理を行っていた部分は、制御部１３が代わりに処理を行っても良いし、携帯端末２０上でアプリケーションが主体として処理を行っていた部分は、制御部２５が代わりに処理を行っても良い。
（４）本実施形態の効果
上述したように本実施形態においては、アプリケーション管理サーバ１０は、携帯端末２０にて選択可能な、アプリケーションを構築するためのフォーマットやデザインの候補が書き込まれた階層構造のアプリケーションを配信する。
【００６１】
そのため、携帯端末２０は、フォーマットやデザインを候補の中から選択してアプリケーションを構築することができ、オリジナリティに富んだアプリケーションを構築することができる。
【００６２】
また、本実施形態においては、アプリケーション管理サーバ１０は、携帯端末２０に対し、日時データと対応付けた広告データのアプリケーションへの書き込みを指示する。
【００６３】
そのため、携帯端末２０は、広告を日時毎に整理して表示することができる。
【００６４】
また、本実施形態においては、アプリケーション管理サーバ１０は、携帯端末２０のユーザをグループ分けし、ある携帯端末２０にてユーザデータが書き込まれた場合、同一グループに属する他のユーザの携帯端末２０に対し、同一のユーザデータのアプリケーションへの書き込みを指示する。
【００６５】
そのため、携帯端末２０は、自らアプリケーション管理サーバ１０にアクセスしなくても、同一グループに属する他の携帯端末２０とユーザデータを共有することができる。
【００６６】
以上、実施形態を参照して本発明を説明したが、本発明は上記実施形態に限定されるものではない。本発明の構成や詳細には、本発明の範囲内で当業者が理解し得る様々な変更をすることができる。
【００６７】
本出願は、２０１１年８月５日に出願された日本出願特願２０１１−１７２０２５を基礎とする優先権を主張し、その開示の全てをここに取り込む。
【図１】
2013021758.tif 000003
【図２】
2013021758.tif 000004
【図３】
2013021758.tif 000005
【図４】
2013021758.tif 000006
【図５】
2013021758.tif 000007
【図６】
2013021758.tif 000008
【図７】
2013021758.tif 000009
【図８】
2013021758.tif 000010
【図９】
2013021758.tif 000011
【図１０】
2013021758.tif 000012
【図１１】
2013021758.tif 000013
【国際調査報告】
2013021758.tif 000014
2013021758.tif 000015
2013021758.tif 000016
2013021758.tif 000017